(57)【要約】【課題】  グローバルＩＰアドレスが変更されたことを容易に又は早期に把握でき、警備用機器、端末装置等が相互に短時間で接続可能で、また相互に接続できない状態を回避できる警備システムを提供することにある。【解決手段】  警備対象施設側に、グローバルＩＰアドレスにより情報の中継を行うゲートウェイ装置と、ウェブサーバを有する警備用機器とを備え、ゲートウェイ装置が、グローバルＩＰアドレスが変更されたことを警備用機器に伝えるアドレス変更通知手段を有し、警備用機器が、アドレス変更通知手段からの通知を受けて、変更されたグローバルＩＰアドレスを、警備用機器から警備に係る情報伝達を受ける端末装置に通知するアドレス通知手段を有し、端末装置が、警備用機器から受け取った警備用機器のグローバルＩＰアドレスを基に、警備用機器に接続することを特徴とする。【選択図】図１
2006221521.tif 000002
【特許請求の範囲】
【請求項１】
インターネット等の電気通信回線を用いて情報伝達を行う警備システムにおいて、
警備対象施設側に、
インターネットサービスプロバイダから割り当てられたグローバルＩＰアドレスにより、該電気通信回線を介して情報の中継を行うゲートウェイ装置と、
ウェブサーバを有する警備用機器とを備え、
該ゲートウェイ装置が、該グローバルＩＰアドレスが変更されたことを該警備用機器に伝えるアドレス変更通知手段を有し、
該警備用機器が、該アドレス変更通知手段からの通知を受けて、変更された該グローバルＩＰアドレスを、該警備用機器から警備に係る情報伝達を受ける端末装置に通知するアドレス通知手段を有し、
該端末装置が、該警備用機器から受け取った該警備用機器のグローバルＩＰアドレスを基に、該警備用機器に接続することを特徴とする警備システム。
【請求項２】
前記ゲートウェイ装置が、前記警備用機器の問い合わせを受けて、前記グローバルＩＰが変更されたことを該警備用機器に伝えることを特徴とする請求項１記載の警備システム。
【請求項３】
インターネット等の電気通信回線を用いて情報伝達を行う警備システムにおいて、
警備対象施設側に、
インターネットサービスプロバイダから割り当てられたグローバルＩＰアドレスにより、該電気通信回線を介して情報の中継を行うゲートウェイ装置と、
ウェブサーバを有する警備用機器とを備え、
該警備用機器が、該ゲートウェイ装置に該グローバルＩＰアドレスの問い合わせを行うと共に、該グローバルＩＰアドレスを警備に係る情報伝達を受ける端末装置に通知するアドレス通知手段を有し、
該ゲートウェイ装置が、該警備用機器からの問い合わせを受けて、該グローバルＩＰアドレスを該警備用機器に伝えるアドレス通知手段を有し、
該警備用機器が、該ゲートウェイ装置から受け取った該グローバルＩＰアドレスの変更を検知した場合に、該新たにゲートウェイ装置から受け取ったグローバルＩＰアドレスを該端末装置に通知し、
該端末装置が、該警備用機器から受け取った該警備用機器のグローバルＩＰアドレスを基に、該警備用機器に接続することを特徴とする警備システム。
【請求項４】
インターネット等の電気通信回線を用いて情報伝達を行う警備システムにおいて、
警備対象施設側に、
インターネットサービスプロバイダから割り当てられたグローバルＩＰアドレスにより、該電気通信回線を介して情報の中継を行うゲートウェイ装置と、
ウェブサーバを有する警備用機器とを備え、
該ゲートウェイ装置が、該グローバルＩＰアドレスが変更されたことを該警備用機器に伝えるアドレス変更通知手段を有し、
該警備用機器が、該アドレス変更通知手段からの通知を受けて、変更された該グローバルＩＰアドレスを、該電気通信回線上のＤＮＳサーバに通知するアドレス通知手段を有し、
該警備用機器から警備に係る情報伝達を受ける端末装置が、該ＤＮＳサーバを介して、該警備用機器に接続することを特徴とする警備システム。
【請求項５】
前記ゲートウェイ装置が、前記警備用機器の問い合わせを受けて、前記グローバルＩＰが変更されたことを該警備用機器に伝えることを特徴とする請求項４記載の警備システム。
【請求項６】
インターネット等の電気通信回線を用いて情報伝達を行う警備システムにおいて、
警備対象施設側に、
インターネットサービスプロバイダから割り当てられたグローバルＩＰアドレスにより、該電気通信回線を介して情報の中継を行うゲートウェイ装置と、
ウェブサーバを有する警備用機器とを備え、
該警備用機器が、該ゲートウェイ装置に該グローバルＩＰアドレスの問い合わせを行うと共に、該グローバルＩＰアドレスを該電気通信回線上のＤＮＳサーバに通知するアドレス通知手段を有し、
該ゲートウェイ装置が、該警備用機器からの問い合わせを受けて、該グローバルＩＰアドレスを該警備用機器に伝えるアドレス通知手段を有し、
該警備用機器が、該ゲートウェイ装置から受け取った該グローバルＩＰアドレスの変更を検知した場合に、該新たにゲートウェイ装置から受け取ったグローバルＩＰアドレスを該ＤＮＳサーバに通知し、
該警備用機器から警備に係る情報伝達を受ける端末装置が、該ＤＮＳサーバを介して、該警備用機器に接続することを特徴とする警備システム。
【請求項７】
インターネット等の電気通信回線を用いて情報伝達を行う警備システムにおいて、
警備用機器から警備に係る情報伝達を受けるセンタ装置側に、
インターネットサービスプロバイダから割り当てられたグローバルＩＰアドレスにより、該電気通信回線を介して情報の中継を行うゲートウェイ装置と、
センタ装置本体とを備え、
該ゲートウェイ装置が、該グローバルＩＰアドレスが変更されたことを該センタ装置本体に伝えるアドレス変更通知手段を有し、
該センタ装置本体が、該アドレス変更通知手段からの通知を受けて、変更された該グローバルＩＰアドレスを、該警備用機器に通知するアドレス通知手段を有し、
該警備用機器が、該センタ装置本体から受け取った該センタ装置本体のグローバルＩＰアドレスを基に、該センタ装置本体に接続することを特徴とする警備システム。
【請求項８】
前記ゲートウェイ装置が、前記センタ装置本体の問い合わせを受けて、前記グローバルＩＰが変更されたことを該センタ装置本体に伝えることを特徴とする請求項７記載の警備システム。
【請求項９】
インターネット等の電気通信回線を用いて情報伝達を行う警備システムにおいて、
警備用機器から警備に係る情報伝達を受けるセンタ装置側に、
インターネットサービスプロバイダから割り当てられたグローバルＩＰアドレスにより、該電気通信回線を介して情報の中継を行うゲートウェイ装置と、
センタ装置本体とを備え、
該センタ装置本体が、該ゲートウェイ装置に該グローバルＩＰアドレスの問い合わせを行うと共に、該グローバルＩＰアドレスを該警備用機器に通知するアドレス通知手段を有し、
該ゲートウェイ装置が、該センタ装置本体からの問い合わせを受けて、該グローバルＩＰアドレスを該センタ装置本体に伝えるアドレス通知手段を有し、
該センタ装置本体が、該ゲートウェイ装置から受け取った該グローバルＩＰアドレスの変更を検知した場合に、該新たにゲートウェイ装置から受け取ったグローバルＩＰアドレスを該警備用機器に通知し、
該警備用機器が、該センタ装置本体から受け取った該センタ装置本体のグローバルＩＰアドレスを基に、該センタ装置本体に接続することを特徴とする警備システム。
【請求項１０】
インターネット等の電気通信回線を用いて情報伝達を行う警備システムにおいて、
警備用機器から警備に係る情報伝達を受けるセンタ装置側に、
インターネットサービスプロバイダから割り当てられたグローバルＩＰアドレスにより、該電気通信回線を介して情報の中継を行うゲートウェイ装置と、
センタ装置本体とを備え、
該ゲートウェイ装置が、該グローバルＩＰアドレスが変更されたことを該センタ装置本体に伝えるアドレス変更通知手段を有し、
該センタ装置本体が、該アドレス変更通知手段からの通知を受けて、変更された該グローバルＩＰアドレスを、該電気通信回線上のＤＮＳサーバに通知するアドレス通知手段を有し、
該警備用機器が、該ＤＮＳサーバを介して、該センタ装置本体に接続することを特徴とする警備システム。
【請求項１１】
前記ゲートウェイ装置が、前記センタ装置本体の問い合わせを受けて、前記グローバルＩＰが変更されたことを該センタ装置本体に伝えることを特徴とする請求項１０記載の警備システム。
【請求項１２】
インターネット等の電気通信回線を用いて情報伝達を行う警備システムにおいて、
警備用機器から警備に係る情報伝達を受けるセンタ装置側に、
インターネットサービスプロバイダから割り当てられたグローバルＩＰアドレスにより、該電気通信回線を介して情報の中継を行うゲートウェイ装置と、
センタ装置本体とを備え、
該センタ装置本体が、該ゲートウェイ装置に該グローバルＩＰアドレスの問い合わせを行うと共に、該グローバルＩＰアドレスを該電気通信回線上のＤＮＳサーバに通知するアドレス通知手段を有し、
該ゲートウェイ装置が、該センタ装置本体からの問い合わせを受けて、該グローバルＩＰアドレスを該センタ装置本体に伝えるアドレス通知手段を有し、
該センタ装置本体が、該ゲートウェイ装置から受け取った該グローバルＩＰアドレスの変更を検知した場合に、該新たにゲートウェイ装置から受け取ったグローバルＩＰアドレスを該ＤＮＳサーバに通知し、
該警備用機器が、該ＤＮＳサーバを介して、該センタ装置本体に接続することを特徴とする警備システム。
【請求項１３】
インターネット等の電気通信回線を用いて情報伝達を行う警備システムにおいて、
警備用機器から警備に係る情報伝達を受けるセンタ装置側に、
インターネットサービスプロバイダから割り当てられたグローバルＩＰアドレスにより、該電気通信回線を介して情報の中継を行うゲートウェイ装置と、
センタ装置本体とを備え、
該ゲートウェイ装置が、該グローバルＩＰアドレスが変更されたことを該センタ装置本体に伝えるアドレス変更通知手段を有し、
該センタ装置本体が、該アドレス変更通知手段からの通知を受けて、変更された該グローバルＩＰアドレスを、該センタ装置から警備に係る情報伝達を受ける端末装置に通知するアドレス通知手段を有し、
該端末装置が、該センタ装置本体から受け取った該センタ装置本体のグローバルＩＰアドレスを基に、該センタ装置本体に接続することを特徴とする警備システム。
【請求項１４】
前記ゲートウェイ装置が、前記センタ装置本体の問い合わせを受けて、前記グローバルＩＰが変更されたことを該センタ装置本体に伝えることを特徴とする請求項１３記載の警備システム。
【請求項１５】
インターネット等の電気通信回線を用いて情報伝達を行う警備システムにおいて、
警備用機器から警備に係る情報伝達を受けるセンタ装置側に、
インターネットサービスプロバイダから割り当てられたグローバルＩＰアドレスにより、該電気通信回線を介して情報の中継を行うゲートウェイ装置と、
センタ装置本体とを備え、
該センタ装置本体が、該ゲートウェイ装置に該グローバルＩＰアドレスの問い合わせを行うと共に、該グローバルＩＰアドレスを警備に係る情報伝達を受ける端末装置に通知するアドレス通知手段を有し、
該ゲートウェイ装置が、該センタ装置本体からの問い合わせを受けて、該グローバルＩＰアドレスを該センタ装置本体に伝えるアドレス通知手段を有し、
該センタ装置本体が、該ゲートウェイ装置から受け取った該グローバルＩＰアドレスの変更を検知した場合に、該新たにゲートウェイ装置から受け取ったグローバルＩＰアドレスを該端末装置に通知し、
該端末装置が、該センタ装置本体から受け取った該センタ装置本体のグローバルＩＰアドレスを基に、該センタ装置本体に接続することを特徴とする警備システム。
【請求項１６】
インターネット等の電気通信回線を用いて情報伝達を行う警備システムにおいて、
警備用機器から警備に係る情報伝達を受けるセンタ装置側に、
インターネットサービスプロバイダから割り当てられたグローバルＩＰアドレスにより、該電気通信回線を介して情報の中継を行うゲートウェイ装置と、
センタ装置本体とを備え、
該ゲートウェイ装置が、該グローバルＩＰアドレスが変更されたことを該センタ装置本体に伝えるアドレス変更通知手段を有し、
該センタ装置本体が、該アドレス変更通知手段からの通知を受けて、変更された該グローバルＩＰアドレスを、該電気通信回線上のＤＮＳサーバに通知するアドレス通知手段を有し、
該センタ装置から警備に係る情報伝達を受ける端末装置が、該ＤＮＳサーバを介して、該センタ装置本体に接続することを特徴とする警備システム。
【請求項１７】
前記ゲートウェイ装置が、前記センタ装置本体の問い合わせを受けて、前記グローバルＩＰが変更されたことを該センタ装置本体に伝えることを特徴とする請求項１６記載の警備システム。
【請求項１８】
インターネット等の電気通信回線を用いて情報伝達を行う警備システムにおいて、
警備用機器から警備に係る情報伝達を受けるセンタ装置側に、
インターネットサービスプロバイダから割り当てられたグローバルＩＰアドレスにより、該電気通信回線を介して情報の中継を行うゲートウェイ装置と、
センタ装置本体とを備え、
該センタ装置本体が、該ゲートウェイ装置に該グローバルＩＰアドレスの問い合わせを行うと共に、該グローバルＩＰアドレスを該電気通信回線上のＤＮＳサーバに通知するアドレス通知手段を有し、
該ゲートウェイ装置が、該センタ装置本体からの問い合わせを受けて、該グローバルＩＰアドレスを該センタ装置本体に伝えるアドレス通知手段を有し、
該センタ装置本体が、該ゲートウェイ装置から受け取った該グローバルＩＰアドレスの変更を検知した場合に、該新たにゲートウェイ装置から受け取ったグローバルＩＰアドレスを該ＤＮＳサーバに通知し、
該センタ装置から警備に係る情報伝達を受ける端末装置が、該ＤＮＳサーバを介して、該センタ装置本体に接続することを特徴とする警備システム。
【請求項１９】
インターネット等の電気通信回線を用いて情報伝達を行う警備システムの接続方法において、
警備対象施設側に設けられ、インターネットサービスプロバイダから割り当てられたグローバルＩＰアドレスにより該電気通信回線を介して情報の中継を行うゲートウェイ装置が、該警備対象施設側に設けられたウェブサーバを有する警備用機器に対し、該グローバルＩＰアドレスが変更されたことを通知し、
該警備用機器が、該グローバルＩＰアドレスが変更された通知受けて、変更された該グローバルＩＰアドレスを、該警備用機器から警備に係る情報伝達を受ける端末装置に通知した後、
該端末装置が、該警備用機器から受け取った該警備用機器のグローバルＩＰアドレスを基に、該警備用機器に接続することを特徴とする警備システムの接続方法。
【請求項２０】
前記ゲートウェイ装置が、前記警備用機器の問い合わせを受けて、前記グローバルＩＰが変更されたことを該警備用機器に伝えることを特徴とする請求項１９記載の警備システムの接続方法。
【請求項２１】
インターネット等の電気通信回線を用いて情報伝達を行う警備システムの接続方法において、
警備対象施設側に設けられたウェブサーバを有する警備用機器が、警備対象施設側に設けられ、インターネットサービスプロバイダから割り当てられたグローバルＩＰアドレスにより該電気通信回線を介して情報の中継を行うゲートウェイ装置に対して該グローバルＩＰアドレスの問い合わせを行い、
該ゲートウェイ装置が、該警備用機器の問い合わせを受けて、該グローバルＩＰアドレスを該警備用機器に伝え、
該警備用機器が、該ゲートウェイ装置から受け取った該グローバルＩＰアドレスの変更を検知した場合に、該新たにゲートウェイ装置から受け取ったグローバルＩＰアドレスを該警備用機器から警備に係る情報伝達を受ける端末装置に通知し、
該端末装置が、該警備用機器から受け取った該警備用機器のグローバルＩＰアドレスを基に、該警備用機器に接続することを特徴とする警備システムの接続方法。
【請求項２２】
インターネット等の電気通信回線を用いて情報伝達を行う警備システムの接続方法において、
警備対象施設側に設けられ、インターネットサービスプロバイダから割り当てられたグローバルＩＰアドレスにより該電気通信回線を介して情報の中継を行うゲートウェイ装置が、該警備対象施設側に設けられたウェブサーバを有する警備用機器に対し、該グローバルＩＰアドレスが変更されたことを通知し、
該警備用機器が、該グローバルＩＰアドレスが変更された通知受けて、変更された該グローバルＩＰアドレスを、該電気通信回線上のＤＮＳサーバに通知した後、
該警備用機器から警備に係る情報伝達を受ける端末装置が、該ＤＮＳサーバを介して、該警備用機器に接続することを特徴とする警備システムの接続方法。
【請求項２３】
前記ゲートウェイ装置が、前記警備用機器の問い合わせを受けて、前記グローバルＩＰが変更されたことを該警備用機器に伝えることを特徴とする請求項２２記載の警備システムの接続方法。
【請求項２４】
インターネット等の電気通信回線を用いて情報伝達を行う警備システムの接続方法において、
警備対象施設側に設けられたウェブサーバを有する警備用機器が、警備対象施設側に設けられ、インターネットサービスプロバイダから割り当てられたグローバルＩＰアドレスにより該電気通信回線を介して情報の中継を行うゲートウェイ装置に対して該グローバルＩＰアドレスの問い合わせを行い、
該ゲートウェイ装置が、該警備用機器の問い合わせを受けて、該グローバルＩＰアドレスを該警備用機器に伝え、
該警備用機器が、該ゲートウェイ装置から受け取った該グローバルＩＰアドレスの変更を検知した場合に、該新たにゲートウェイ装置から受け取ったグローバルＩＰアドレスを該電気通信回線上のＤＮＳサーバに通知し、
該警備用機器から警備に係る情報伝達を受ける端末装置が、該ＤＮＳサーバを介して、該警備用機器に接続することを特徴とする警備システムの接続方法。
【請求項２５】
インターネット等の電気通信回線を用いて情報伝達を行う警備システムの接続方法において、
警備用機器から警備に係る情報伝達を受けるセンタ装置側に設けられ、インターネットサービスプロバイダから割り当てられたグローバルＩＰアドレスにより該電気通信回線を介して情報の中継を行うゲートウェイ装置が、該グローバルＩＰアドレスが変更されたことをセンタ装置本体に通知し、
該センタ装置本体が、該グローバルＩＰアドレスが変更された通知受けて、変更された該グローバルＩＰアドレスを、該警備用機器に通知した後、
該警備用機器が、該センタ装置本体から受け取った該センタ装置本体のグローバルＩＰアドレスを基に、該センタ装置本体に接続することを特徴とする警備システムの接続方法。
【請求項２６】
前記ゲートウェイ装置が、前記センタ装置本体の問い合わせを受けて、前記グローバルＩＰが変更されたことを該センタ装置本体に伝えることを特徴とする請求項２５記載の警備システムの接続方法。
【請求項２７】
インターネット等の電気通信回線を用いて情報伝達を行う警備システムの接続方法において、
警備用機器から警備に係る情報伝達を受けるセンタ装置側のセンタ装置本体が、警備対象施設側に設けられ、インターネットサービスプロバイダから割り当てられたグローバルＩＰアドレスにより該電気通信回線を介して情報の中継を行うゲートウェイ装置に対して該グローバルＩＰアドレスの問い合わせを行い、
該ゲートウェイ装置が、該センタ装置本体の問い合わせを受けて、該グローバルＩＰアドレスをセンタ装置本体に伝え、
該センタ装置本体が、該ゲートウェイ装置から受け取った該グローバルＩＰアドレスの変更を検知した場合に、該新たにゲートウェイ装置から受け取ったグローバルＩＰアドレスを該警備用機器に通知し、
該警備用機器が、該センタ装置本体から受け取った該センタ装置本体のグローバルＩＰアドレスを基に、該センタ装置本体に接続することを特徴とする警備システムの接続方法。
【請求項２８】
インターネット等の電気通信回線を用いて情報伝達を行う警備システムの接続方法において、
警備用機器から警備に係る情報伝達を受けるセンタ装置側に設けられ、インターネットサービスプロバイダから割り当てられたグローバルＩＰアドレスにより該電気通信回線を介して情報の中継を行うゲートウェイ装置が、該グローバルＩＰアドレスが変更されたことを該センタ装置本体に通知し、
該センタ装置本体が、該グローバルＩＰアドレスが変更された通知受けて、変更された該グローバルＩＰアドレスを、該電気通信回線上のＤＮＳサーバに通知した後、
該警備用機器が、該ＤＮＳサーバを介して、該センタ装置本体に接続することを特徴とする警備システムの接続方法。
【請求項２９】
前記ゲートウェイ装置が、前記センタ装置本体の問い合わせを受けて、前記グローバルＩＰが変更されたことを該センタ装置本体に伝えることを特徴とする請求項２８記載の警備システムの接続方法。
【請求項３０】
インターネット等の電気通信回線を用いて情報伝達を行う警備システムの接続方法において、
警備用機器から警備に係る情報伝達を受けるセンタ装置側のセンタ装置本体が、警備対象施設側に設けられ、インターネットサービスプロバイダから割り当てられたグローバルＩＰアドレスにより該電気通信回線を介して情報の中継を行うゲートウェイ装置に対して該グローバルＩＰアドレスの問い合わせを行い、
該ゲートウェイ装置が、該センタ装置本体の問い合わせを受けて、該グローバルＩＰアドレスをセンタ装置本体に伝え、
該センタ装置本体が、該ゲートウェイ装置から受け取った該グローバルＩＰアドレスの変更を検知した場合に、該新たにゲートウェイ装置から受け取ったグローバルＩＰアドレスを該電気通信回線上のＤＮＳサーバに通知し、
該警備用機器が、該ＤＮＳサーバを介して、該センタ装置本体に接続することを特徴とする警備システムの接続方法。
【請求項３１】
インターネット等の電気通信回線を用いて情報伝達を行う警備システムの接続方法において、
警備用機器から警備に係る情報伝達を受けるセンタ装置側に設けられ、インターネットサービスプロバイダから割り当てられたグローバルＩＰアドレスにより該電気通信回線を介して情報の中継を行うゲートウェイ装置が、該グローバルＩＰアドレスが変更されたことを該センタ装置本体に通知し、
該センタ装置本体が、該グローバルＩＰアドレスが変更された通知受けて、変更された該グローバルＩＰアドレスを、該センタ装置から警備に係る情報伝達を受ける端末装置に通知した後、
該端末装置が、該センタ装置本体から受け取った該センタ装置本体のグローバルＩＰアドレスを基に、該センタ装置本体に接続することを特徴とする警備システムの接続方法。
【請求項３２】
前記ゲートウェイ装置が、前記センタ装置本体の問い合わせを受けて、前記グローバルＩＰが変更されたことを該センタ装置本体に伝えることを特徴とする請求項３１記載の警備システムの接続方法。
【請求項３３】
インターネット等の電気通信回線を用いて情報伝達を行う警備システムの接続方法において、
警備用機器から警備に係る情報伝達を受けるセンタ装置側のセンタ装置本体が、警備対象施設側に設けられ、インターネットサービスプロバイダから割り当てられたグローバルＩＰアドレスにより該電気通信回線を介して情報の中継を行うゲートウェイ装置に対して該グローバルＩＰアドレスの問い合わせを行い、
該ゲートウェイ装置が、該センタ装置本体の問い合わせを受けて、該グローバルＩＰアドレスをセンタ装置本体に伝え、
該センタ装置本体が、該ゲートウェイ装置から受け取った該グローバルＩＰアドレスの変更を検知した場合に、該新たにゲートウェイ装置から受け取ったグローバルＩＰアドレスを該センタ装置から警備に係る情報伝達を受ける端末装置に通知し、
該端末装置が、該センタ装置本体から受け取った該センタ装置本体のグローバルＩＰアドレスを基に、該センタ装置本体に接続することを特徴とする警備システムの接続方法。
【請求項３４】
インターネット等の電気通信回線を用いて情報伝達を行う警備システムの接続方法において、
警備用機器から警備に係る情報伝達を受けるセンタ装置側に設けられ、インターネットサービスプロバイダから割り当てられたグローバルＩＰアドレスにより該電気通信回線を介して情報の中継を行うゲートウェイ装置が、該グローバルＩＰアドレスが変更されたことを該センタ装置本体に通知し、
該センタ装置本体が、該グローバルＩＰアドレスが変更された通知受けて、変更された該グローバルＩＰアドレスを、該電気通信回線上のＤＮＳサーバに通知した後、
該センタ装置から警備に係る情報伝達を受ける端末装置が、該ＤＮＳサーバを介して、該センタ装置本体に接続することを特徴とする警備システムの接続方法。
【請求項３５】
前記ゲートウェイ装置が、前記センタ装置本体の問い合わせを受けて、前記グローバルＩＰが変更されたことを該センタ装置本体に伝えることを特徴とする請求項３４記載の警備システムの接続方法。
【請求項３６】
インターネット等の電気通信回線を用いて情報伝達を行う警備システムの接続方法において、
警備用機器から警備に係る情報伝達を受けるセンタ装置側のセンタ装置本体が、警備対象施設側に設けられ、インターネットサービスプロバイダから割り当てられたグローバルＩＰアドレスにより該電気通信回線を介して情報の中継を行うゲートウェイ装置に対して該グローバルＩＰアドレスの問い合わせを行い、
該ゲートウェイ装置が、該センタ装置本体の問い合わせを受けて、該グローバルＩＰアドレスをセンタ装置本体に伝え、
該センタ装置本体が、該ゲートウェイ装置から受け取った該グローバルＩＰアドレスの変更を検知した場合に、該新たにゲートウェイ装置から受け取ったグローバルＩＰアドレスを該電気通信回線上のＤＮＳサーバに通知し、
該センタ装置から警備に係る情報伝達を受ける端末装置が、該ＤＮＳサーバを介して、該センタ装置本体に接続することを特徴とする警備システムの接続方法。
【発明の詳細な説明】
【技術分野】
【０００１】
本発明は、インターネット等の電気通信回線を用いて情報伝達を行う警備システム及び警備システムの接続方法に関する。
【背景技術】
【０００２】
従来より、一般の家庭や店舗、工場等の警備対象施設側に、異常を検知するセンサを設け、異常の情報を送信機を介して警備センタのセンタ装置や各種端末装置に通報する警備システムが用いられている。そして、昨今のインターネット等の普及により、送信機とセンタ装置、端末装置とを接続する回線としてインターネット等の電気通信回線が用いられるに至っている（例えば、特許文献１、特許文献２参照）。
【０００３】
この従来の警備システムでは、インターネット等を用いて情報伝達を行う具体的手段として、ウェブサーバ及びウェブクライアントが用いられている。そして、ウェブクライアントからウェブサーバにアクセスする際には、ウェブサーバのグローバルＩＰアドレスを知っている必要がある。このグローバルＩＰアドレスを、固定ＩＰアドレスとしてインターネット回線契約すれば、定まったＩＰアドレスでアクセスが可能だが、固定ＩＰアドレスの取得運用やそのランニングコストは費用が高くなってしまう。このため、通常は動的グローバルＩＰアドレスのインターネット回線契約を行い、ＩＳＰ（Internet Service Provider）へ接続の都度、任意に割り当てられるグローバルＩＰアドレスを取得して運用している。
【０００４】
また、既存サービスとして無料のＤＮＳ（Domain Name System）サーバの利用がある。ＤＮＳサービスで、ユーザ独自のドメイン名を取得し、ウェブクライアントがＤＮＳサーバに対して、定期的にグローバルＩＰアドレスを通知する。ＤＮＳサーバは、ウェブクライアントのドメイン名に関連付けられたグローバルＩＰアドレスの値を通知されたものに更新する。ウェブクライアントは常に同じドメイン名でアクセスを行うが、ＤＮＳサーバによりドメイン名からグローバルＩＰアドレスの解決が為されて、接続が可能となる。
【特許文献１】特開２００２−３３４３８７号公報
【特許文献２】特開２００３−２４２５７５号公報
【発明の開示】
【発明が解決しようとする課題】
【０００５】
しかしながら、動的グローバルＩＰアドレスを用いた場合、ウェブクライアントが、アクセスの都度その時点で割り当てられているグローバルＩＰアドレスを調べる必要があり、その調査は煩雑でウェブサーバへの接続に時間を要してしまう。
【０００６】
また、ＤＮＳサーバを用いた場合、ＤＮＳサーバは定期的にしかグローバルＩＰアドレスの変更を知り得ないことから、変更されたグローバルＩＰアドレスがＤＮＳサーバに反映されるには時間を要し、変更されるまではウェブクライアントはウェブサーバに接続できないというタイムラグが生じてしまう。
【０００７】
本発明は、このような事情に鑑みてなされたもので、グローバルＩＰアドレスが変更されたことを容易に又は早期に把握でき、警備用機器、端末装置、センタ装置、ＤＮＳサーバ等が相互に短時間で接続可能で、また相互に接続できない状態を回避できる警備システム及び警備システムの接続方法を提供することにある。
【課題を解決するための手段】
【０００８】
請求項１記載の警備システムは、警備対象施設側に、インターネットサービスプロバイダから割り当てられたグローバルＩＰアドレスにより、電気通信回線を介して情報の中継を行うゲートウェイ装置と、ウェブサーバを有する警備用機器とを備え、ゲートウェイ装置が、グローバルＩＰアドレスが変更されたことを警備用機器に伝えるアドレス変更通知手段を有し、警備用機器が、アドレス変更通知手段からの通知を受けて、変更されたグローバルＩＰアドレスを、警備用機器から警備に係る情報伝達を受ける端末装置に通知するアドレス通知手段を有し、端末装置が、警備用機器から受け取った警備用機器のグローバルＩＰアドレスを基に、警備用機器に接続することを特徴とする。
【０００９】
請求項２記載の警備システムは、ゲートウェイ装置が、警備用機器の問い合わせを受けて、グローバルＩＰが変更されたことを警備用機器に伝えることを特徴とする。
【００１０】
請求項３記載の警備システムは、警備対象施設側に、インターネットサービスプロバイダから割り当てられたグローバルＩＰアドレスにより、電気通信回線を介して情報の中継を行うゲートウェイ装置と、ウェブサーバを有する警備用機器とを備え、警備用機器が、ゲートウェイ装置にグローバルＩＰアドレスの問い合わせを行うと共に、グローバルＩＰアドレスを警備に係る情報伝達を受ける端末装置に通知するアドレス通知手段を有し、ゲートウェイ装置が、警備用機器からの問い合わせを受けて、グローバルＩＰアドレスを警備用機器に伝えるアドレス通知手段を有し、警備用機器が、ゲートウェイ装置から受け取ったグローバルＩＰアドレスの変更を検知した場合に、新たにゲートウェイ装置から受け取ったグローバルＩＰアドレスを端末装置に通知し、端末装置が、警備用機器から受け取った警備用機器のグローバルＩＰアドレスを基に、警備用機器に接続することを特徴とする。
【００１１】
請求項４記載の警備システムは、警備対象施設側に、インターネットサービスプロバイダから割り当てられたグローバルＩＰアドレスにより、電気通信回線を介して情報の中継を行うゲートウェイ装置と、ウェブサーバを有する警備用機器とを備え、ゲートウェイ装置が、グローバルＩＰアドレスが変更されたことを警備用機器に伝えるアドレス変更通知手段を有し、警備用機器が、アドレス変更通知手段からの通知を受けて、変更されたグローバルＩＰアドレスを、電気通信回線上のＤＮＳサーバに通知するアドレス通知手段を有し、警備用機器から警備に係る情報伝達を受ける端末装置が、ＤＮＳサーバを介して、警備用機器に接続することを特徴とする。
【００１２】
請求項５記載の警備システムは、ゲートウェイ装置が、警備用機器の問い合わせを受けて、グローバルＩＰが変更されたことを警備用機器に伝えることを特徴とする。
【００１３】
請求項６記載の警備システムは、警備対象施設側に、インターネットサービスプロバイダから割り当てられたグローバルＩＰアドレスにより、電気通信回線を介して情報の中継を行うゲートウェイ装置と、ウェブサーバを有する警備用機器とを備え、警備用機器が、ゲートウェイ装置にグローバルＩＰアドレスの問い合わせを行うと共に、グローバルＩＰアドレスを電気通信回線上のＤＮＳサーバに通知するアドレス通知手段を有し、ゲートウェイ装置が、警備用機器からの問い合わせを受けて、グローバルＩＰアドレスを警備用機器に伝えるアドレス通知手段を有し、警備用機器が、ゲートウェイ装置から受け取ったグローバルＩＰアドレスの変更を検知した場合に、新たにゲートウェイ装置から受け取ったグローバルＩＰアドレスをＤＮＳサーバに通知し、警備用機器から警備に係る情報伝達を受ける端末装置が、ＤＮＳサーバを介して、警備用機器に接続することを特徴とする。
【００１４】
請求項７記載の警備システムは、警備用機器から警備に係る情報伝達を受けるセンタ装置側に、インターネットサービスプロバイダから割り当てられたグローバルＩＰアドレスにより、電気通信回線を介して情報の中継を行うゲートウェイ装置と、センタ装置本体とを備え、ゲートウェイ装置が、グローバルＩＰアドレスが変更されたことをセンタ装置本体に伝えるアドレス変更通知手段を有し、センタ装置本体が、アドレス変更通知手段からの通知を受けて、変更された該グローバルＩＰアドレスを、警備用機器に通知するアドレス通知手段を有し、警備用機器が、センタ装置本体から受け取ったセンタ装置本体のグローバルＩＰアドレスを基に、センタ装置本体に接続することを特徴とする。
【００１５】
請求項８記載の警備システムは、ゲートウェイ装置が、センタ装置本体の問い合わせを受けて、グローバルＩＰが変更されたことをセンタ装置本体に伝えることを特徴とする。
【００１６】
請求項９記載の警備システムは、警備用機器から警備に係る情報伝達を受けるセンタ装置側に、インターネットサービスプロバイダから割り当てられたグローバルＩＰアドレスにより、電気通信回線を介して情報の中継を行うゲートウェイ装置と、センタ装置本体とを備え、センタ装置本体が、ゲートウェイ装置にグローバルＩＰアドレスの問い合わせを行うと共に、グローバルＩＰアドレスを警備用機器に通知するアドレス通知手段を有し、ゲートウェイ装置が、センタ装置本体からの問い合わせを受けて、グローバルＩＰアドレスをセンタ装置本体に伝えるアドレス通知手段を有し、センタ装置本体が、ゲートウェイ装置から受け取ったグローバルＩＰアドレスの変更を検知した場合に、新たにゲートウェイ装置から受け取ったグローバルＩＰアドレスを警備用機器に通知し、警備用機器が、センタ装置本体から受け取ったセンタ装置本体のグローバルＩＰアドレスを基に、センタ装置本体に接続することを特徴とする。
【００１７】
請求項１０記載の警備システムは、警備用機器から警備に係る情報伝達を受けるセンタ装置側に、インターネットサービスプロバイダから割り当てられたグローバルＩＰアドレスにより、電気通信回線を介して情報の中継を行うゲートウェイ装置と、センタ装置本体とを備え、ゲートウェイ装置が、グローバルＩＰアドレスが変更されたことをセンタ装置本体に伝えるアドレス変更通知手段を有し、センタ装置本体が、アドレス変更通知手段からの通知を受けて、変更されたグローバルＩＰアドレスを、電気通信回線上のＤＮＳサーバに通知するアドレス通知手段を有し、警備用機器が、ＤＮＳサーバを介して、センタ装置本体に接続することを特徴とする。
【００１８】
請求項１１記載の警備システムは、ゲートウェイ装置が、センタ装置本体の問い合わせを受けて、グローバルＩＰが変更されたことをセンタ装置本体に伝えることを特徴とする。
【００１９】
請求項１２記載の警備システムは、警備用機器から警備に係る情報伝達を受けるセンタ装置側に、インターネットサービスプロバイダから割り当てられたグローバルＩＰアドレスにより、電気通信回線を介して情報の中継を行うゲートウェイ装置と、センタ装置本体とを備え、センタ装置本体が、ゲートウェイ装置にグローバルＩＰアドレスの問い合わせを行うと共に、グローバルＩＰアドレスを電気通信回線上のＤＮＳサーバに通知するアドレス通知手段を有し、ゲートウェイ装置が、センタ装置本体からの問い合わせを受けて、グローバルＩＰアドレスをセンタ装置本体に伝えるアドレス通知手段を有し、センタ装置本体が、ゲートウェイ装置から受け取ったグローバルＩＰアドレスの変更を検知した場合に、新たにゲートウェイ装置から受け取ったグローバルＩＰアドレスをＤＮＳサーバに通知し、警備用機器が、ＤＮＳサーバを介して、センタ装置本体に接続することを特徴とする。
【００２０】
請求項１３記載の警備システムは、警備用機器から警備に係る情報伝達を受けるセンタ装置側に、インターネットサービスプロバイダから割り当てられたグローバルＩＰアドレスにより、電気通信回線を介して情報の中継を行うゲートウェイ装置と、センタ装置本体とを備え、ゲートウェイ装置が、グローバルＩＰアドレスが変更されたことをセンタ装置本体に伝えるアドレス変更通知手段を有し、センタ装置本体が、アドレス変更通知手段からの通知を受けて、変更された該グローバルＩＰアドレスを、センタ装置から警備に係る情報伝達を受ける端末装置に通知するアドレス通知手段を有し、端末装置が、センタ装置本体から受け取ったセンタ装置本体のグローバルＩＰアドレスを基に、センタ装置本体に接続することを特徴とする。
【００２１】
請求項１４記載の警備システムは、ゲートウェイ装置が、センタ装置本体の問い合わせを受けて、グローバルＩＰが変更されたことをセンタ装置本体に伝えることを特徴とする。
【００２２】
請求項１５記載の警備システムは、警備用機器から警備に係る情報伝達を受けるセンタ装置側に、インターネットサービスプロバイダから割り当てられたグローバルＩＰアドレスにより、電気通信回線を介して情報の中継を行うゲートウェイ装置と、センタ装置本体とを備え、センタ装置本体が、ゲートウェイ装置にグローバルＩＰアドレスの問い合わせを行うと共に、グローバルＩＰアドレスを警備に係る情報伝達を受ける端末装置に通知するアドレス通知手段を有し、ゲートウェイ装置が、センタ装置本体からの問い合わせを受けて、グローバルＩＰアドレスをセンタ装置本体に伝えるアドレス通知手段を有し、センタ装置本体が、ゲートウェイ装置から受け取ったグローバルＩＰアドレスの変更を検知した場合に、新たにゲートウェイ装置から受け取ったグローバルＩＰアドレスを端末装置に通知し、端末装置が、センタ装置本体から受け取ったセンタ装置本体のグローバルＩＰアドレスを基に、センタ装置本体に接続することを特徴とする。
【００２３】
請求項１６記載の警備システムは、警備用機器から警備に係る情報伝達を受けるセンタ装置側に、インターネットサービスプロバイダから割り当てられたグローバルＩＰアドレスにより、電気通信回線を介して情報の中継を行うゲートウェイ装置と、センタ装置本体とを備え、ゲートウェイ装置が、グローバルＩＰアドレスが変更されたことをセンタ装置本体に伝えるアドレス変更通知手段を有し、センタ装置本体が、アドレス変更通知手段からの通知を受けて、変更されたグローバルＩＰアドレスを、電気通信回線上のＤＮＳサーバに通知するアドレス通知手段を有し、センタ装置から警備に係る情報伝達を受ける端末装置が、ＤＮＳサーバを介して、センタ装置本体に接続することを特徴とする。
【００２４】
請求項１７記載の警備システムは、ゲートウェイ装置が、センタ装置本体の問い合わせを受けて、グローバルＩＰが変更されたことをセンタ装置本体に伝えることを特徴とする。
【００２５】
請求項１８記載の警備システムは、警備用機器から警備に係る情報伝達を受けるセンタ装置側に、インターネットサービスプロバイダから割り当てられたグローバルＩＰアドレスにより、電気通信回線を介して情報の中継を行うゲートウェイ装置と、センタ装置本体とを備え、センタ装置本体が、ゲートウェイ装置にグローバルＩＰアドレスの問い合わせを行うと共に、グローバルＩＰアドレスを電気通信回線上のＤＮＳサーバに通知するアドレス通知手段を有し、ゲートウェイ装置が、センタ装置本体からの問い合わせを受けて、グローバルＩＰアドレスをセンタ装置本体に伝えるアドレス通知手段を有し、センタ装置本体が、ゲートウェイ装置から受け取ったグローバルＩＰアドレスの変更を検知した場合に、新たにゲートウェイ装置から受け取ったグローバルＩＰアドレスをＤＮＳサーバに通知し、センタ装置から警備に係る情報伝達を受ける端末装置が、ＤＮＳサーバを介して、センタ装置本体に接続することを特徴とする。
【００２６】
請求項１９記載の警備システムの接続方法は、警備対象施設側に設けられ、インターネットサービスプロバイダから割り当てられたグローバルＩＰアドレスにより電気通信回線を介して情報の中継を行うゲートウェイ装置が、警備対象施設側に設けられたウェブサーバを有する警備用機器に対し、グローバルＩＰアドレスが変更されたことを通知し、警備用機器が、グローバルＩＰアドレスが変更された通知受けて、変更されたグローバルＩＰアドレスを、警備用機器から警備に係る情報伝達を受ける端末装置に通知した後、端末装置が、警備用機器から受け取った警備用機器のグローバルＩＰアドレスを基に、警備用機器に接続することを特徴とする。
【００２７】
請求項２０記載の警備システムの接続方法は、ゲートウェイ装置が、警備用機器の問い合わせを受けて、グローバルＩＰが変更されたことを警備用機器に伝えることを特徴とする。
【００２８】
請求項２１記載の警備システムの接続方法は、警備対象施設側に設けられたウェブサーバを有する警備用機器が、警備対象施設側に設けられ、インターネットサービスプロバイダから割り当てられたグローバルＩＰアドレスにより電気通信回線を介して情報の中継を行うゲートウェイ装置に対してグローバルＩＰアドレスの問い合わせを行い、ゲートウェイ装置が、警備用機器の問い合わせを受けて、グローバルＩＰアドレスを警備用機器に伝え、警備用機器が、ゲートウェイ装置から受け取ったグローバルＩＰアドレスの変更を検知した場合に、新たにゲートウェイ装置から受け取ったグローバルＩＰアドレスを警備用機器から警備に係る情報伝達を受ける端末装置に通知し、端末装置が、警備用機器から受け取った警備用機器のグローバルＩＰアドレスを基に、警備用機器に接続することを特徴とする。
【００２９】
請求項２２記載の警備システムの接続方法は、警備対象施設側に設けられ、インターネットサービスプロバイダから割り当てられたグローバルＩＰアドレスにより電気通信回線を介して情報の中継を行うゲートウェイ装置が、警備対象施設側に設けられたウェブサーバを有する警備用機器に対し、グローバルＩＰアドレスが変更されたことを通知し、警備用機器が、グローバルＩＰアドレスが変更された通知受けて、変更されたグローバルＩＰアドレスを、電気通信回線上のＤＮＳサーバに通知した後、警備用機器から警備に係る情報伝達を受ける端末装置が、ＤＮＳサーバを介して、警備用機器に接続することを特徴とする。
【００３０】
請求項２３記載の警備システムの接続方法は、ゲートウェイ装置が、警備用機器の問い合わせを受けて、グローバルＩＰが変更されたことを警備用機器に伝えることを特徴とする。
【００３１】
請求項２４記載の警備システムの接続方法は、警備対象施設側に設けられたウェブサーバを有する警備用機器が、警備対象施設側に設けられ、インターネットサービスプロバイダから割り当てられたグローバルＩＰアドレスにより電気通信回線を介して情報の中継を行うゲートウェイ装置に対してグローバルＩＰアドレスの問い合わせを行い、ゲートウェイ装置が、警備用機器の問い合わせを受けて、グローバルＩＰアドレスを警備用機器に伝え、警備用機器が、ゲートウェイ装置から受け取ったグローバルＩＰアドレスの変更を検知した場合に、新たにゲートウェイ装置から受け取ったグローバルＩＰアドレスを電気通信回線上のＤＮＳサーバに通知し、警備用機器から警備に係る情報伝達を受ける端末装置が、ＤＮＳサーバを介して、警備用機器に接続することを特徴とする。
【００３２】
請求項２５記載の警備システムの接続方法は、警備用機器から警備に係る情報伝達を受けるセンタ装置側に設けられ、インターネットサービスプロバイダから割り当てられたグローバルＩＰアドレスにより電気通信回線を介して情報の中継を行うゲートウェイ装置が、グローバルＩＰアドレスが変更されたことをセンタ装置本体に通知し、センタ装置本体が、グローバルＩＰアドレスが変更された通知受けて、変更されたグローバルＩＰアドレスを、警備用機器に通知した後、警備用機器が、センタ装置本体から受け取ったセンタ装置本体のグローバルＩＰアドレスを基に、センタ装置本体に接続することを特徴とする。
【００３３】
請求項２６記載の警備システムの接続方法は、ゲートウェイ装置が、センタ装置本体の問い合わせを受けて、グローバルＩＰが変更されたことをセンタ装置本体に伝えることを特徴とする。
【００３４】
請求項２７記載の警備システムの接続方法は、警備用機器から警備に係る情報伝達を受けるセンタ装置側のセンタ装置本体が、警備対象施設側に設けられ、インターネットサービスプロバイダから割り当てられたグローバルＩＰアドレスにより電気通信回線を介して情報の中継を行うゲートウェイ装置に対して該グローバルＩＰアドレスの問い合わせを行い、ゲートウェイ装置が、センタ装置本体の問い合わせを受けて、グローバルＩＰアドレスをセンタ装置本体に伝え、センタ装置本体が、ゲートウェイ装置から受け取ったグローバルＩＰアドレスの変更を検知した場合に、新たにゲートウェイ装置から受け取ったグローバルＩＰアドレスを警備用機器に通知し、警備用機器が、センタ装置本体から受け取ったセンタ装置本体のグローバルＩＰアドレスを基に、センタ装置本体に接続することを特徴とする。
【００３５】
請求項２８記載の警備システムの接続方法は、警備用機器から警備に係る情報伝達を受けるセンタ装置側に設けられ、インターネットサービスプロバイダから割り当てられたグローバルＩＰアドレスにより電気通信回線を介して情報の中継を行うゲートウェイ装置が、グローバルＩＰアドレスが変更されたことをセンタ装置本体に通知し、センタ装置本体が、グローバルＩＰアドレスが変更された通知受けて、変更されたグローバルＩＰアドレスを、電気通信回線上のＤＮＳサーバに通知した後、警備用機器が、ＤＮＳサーバを介して、センタ装置本体に接続することを特徴とする。
【００３６】
請求項２９記載の警備システムの接続方法は、ゲートウェイ装置が、センタ装置本体の問い合わせを受けて、グローバルＩＰが変更されたことをセンタ装置本体に伝えることを特徴とする。
【００３７】
請求項３０記載の警備システムの接続方法は、警備用機器から警備に係る情報伝達を受けるセンタ装置側のセンタ装置本体が、警備対象施設側に設けられ、インターネットサービスプロバイダから割り当てられたグローバルＩＰアドレスにより電気通信回線を介して情報の中継を行うゲートウェイ装置に対してグローバルＩＰアドレスの問い合わせを行い、ゲートウェイ装置が、センタ装置本体の問い合わせを受けて、グローバルＩＰアドレスをセンタ装置本体に伝え、センタ装置本体が、ゲートウェイ装置から受け取ったグローバルＩＰアドレスの変更を検知した場合に、新たにゲートウェイ装置から受け取ったグローバルＩＰアドレスを電気通信回線上のＤＮＳサーバに通知し、警備用機器が、ＤＮＳサーバを介して、センタ装置本体に接続することを特徴とする。
【００３８】
請求項３１記載の警備システムの接続方法は、警備用機器から警備に係る情報伝達を受けるセンタ装置側に設けられ、インターネットサービスプロバイダから割り当てられたグローバルＩＰアドレスにより電気通信回線を介して情報の中継を行うゲートウェイ装置が、グローバルＩＰアドレスが変更されたことを該センタ装置本体に通知し、センタ装置本体が、グローバルＩＰアドレスが変更された通知受けて、変更されたグローバルＩＰアドレスを、センタ装置から警備に係る情報伝達を受ける端末装置に通知した後、端末装置が、センタ装置本体から受け取ったセンタ装置本体のグローバルＩＰアドレスを基に、センタ装置本体に接続することを特徴とする。
【００３９】
請求項３２記載の警備システムの接続方法は、ゲートウェイ装置が、センタ装置本体の問い合わせを受けて、グローバルＩＰが変更されたことをセンタ装置本体に伝えることを特徴とする。
【００４０】
請求項３３記載の警備システムの接続方法は、警備用機器から警備に係る情報伝達を受けるセンタ装置側のセンタ装置本体が、警備対象施設側に設けられ、インターネットサービスプロバイダから割り当てられたグローバルＩＰアドレスにより電気通信回線を介して情報の中継を行うゲートウェイ装置に対して該グローバルＩＰアドレスの問い合わせを行い、ゲートウェイ装置が、センタ装置本体の問い合わせを受けて、グローバルＩＰアドレスをセンタ装置本体に伝え、センタ装置本体が、ゲートウェイ装置から受け取ったグローバルＩＰアドレスの変更を検知した場合に、新たにゲートウェイ装置から受け取ったグローバルＩＰアドレスをセンタ装置から警備に係る情報伝達を受ける端末装置に通知し、端末装置が、センタ装置本体から受け取ったセンタ装置本体のグローバルＩＰアドレスを基に、センタ装置本体に接続することを特徴とする。
【００４１】
請求項３４記載の警備システムの接続方法は、警備用機器から警備に係る情報伝達を受けるセンタ装置側に設けられ、インターネットサービスプロバイダから割り当てられたグローバルＩＰアドレスにより電気通信回線を介して情報の中継を行うゲートウェイ装置が、グローバルＩＰアドレスが変更されたことをセンタ装置本体に通知し、センタ装置本体が、グローバルＩＰアドレスが変更された通知受けて、変更されたグローバルＩＰアドレスを、電気通信回線上のＤＮＳサーバに通知した後、センタ装置から警備に係る情報伝達を受ける端末装置が、ＤＮＳサーバを介して、センタ装置本体に接続することを特徴とする。
【００４２】
請求項３５記載の警備システムの接続方法は、ゲートウェイ装置が、センタ装置本体の問い合わせを受けて、グローバルＩＰが変更されたことをセンタ装置本体に伝えることを特徴とする。
【００４３】
請求項３６記載の警備システムの接続方法は、警備用機器から警備に係る情報伝達を受けるセンタ装置側のセンタ装置本体が、警備対象施設側に設けられ、インターネットサービスプロバイダから割り当てられたグローバルＩＰアドレスにより電気通信回線を介して情報の中継を行うゲートウェイ装置に対してグローバルＩＰアドレスの問い合わせを行い、ゲートウェイ装置が、センタ装置本体の問い合わせを受けて、グローバルＩＰアドレスをセンタ装置本体に伝え、センタ装置本体が、ゲートウェイ装置から受け取ったグローバルＩＰアドレスの変更を検知した場合に、新たにゲートウェイ装置から受け取ったグローバルＩＰアドレスを電気通信回線上のＤＮＳサーバに通知し、センタ装置から警備に係る情報伝達を受ける端末装置が、ＤＮＳサーバを介して、センタ装置本体に接続することを特徴とする。
【発明の効果】
【００４４】
請求項１及び請求項２の発明によれば、警備対象施設側のゲートウェイ装置が、警備用機器に対し、グローバルＩＰアドレスが変更されたことを通知し、警備用機器が、グローバルＩＰアドレスが変更された通知受けて、変更されたグローバルＩＰアドレスを、警備用機器から端末装置に通知することから、端末装置はグローバルＩＰアドレスが変更されたことを容易に把握でき、短時間で警備用機器に接続可能である。
【００４５】
請求項３の発明によれば、警備用機器が、ゲートウェイ装置から受け取ったグローバルＩＰアドレスの変更を検知した場合に、新たにゲートウェイ装置から受け取ったグローバルＩＰアドレスを端末装置に通知することから、端末装置はグローバルＩＰアドレスが変更されたことを容易に把握でき、短時間で警備用機器に接続可能である。
【００４６】
請求項４及び請求項５の発明によれば、警備対象施設側のゲートウェイ装置が、警備用機器に対し、グローバルＩＰアドレスが変更されたことを通知し、警備用機器が、グローバルＩＰアドレスが変更された通知受けて、変更されたグローバルＩＰアドレスを、ＤＮＳサーバに通知することから、ＤＮＳサーバはグローバルＩＰアドレスが変更されたことを早期に把握でき、変更までのタイムラグを減らし、端末装置が警備用機器に接続できない状態を回避できる。
【００４７】
請求項６の発明によれば、警備用機器が、ゲートウェイ装置から受け取ったグローバルＩＰアドレスの変更を検知した場合に、新たにゲートウェイ装置から受け取ったグローバルＩＰアドレスをＤＮＳサーバに通知することから、ＤＮＳサーバはグローバルＩＰアドレスが変更されたことを早期に把握でき、変更までのタイムラグを減らし、端末装置が警備用機器に接続できない状態を回避できる。
【００４８】
請求項７及び請求項８の発明によれば、センタ装置側のゲートウェイ装置が、センタ装置本体に対し、グローバルＩＰアドレスが変更されたことを通知し、センタ装置本体が、グローバルＩＰアドレスが変更された通知受けて、変更されたグローバルＩＰアドレスを、センタ装置本体から警備用機器に通知することから、警備用機器はグローバルＩＰアドレスが変更されたことを容易に把握でき、短時間でセンタ装置本体に接続可能である。
【００４９】
請求項９の発明によれば、センタ装置本体が、ゲートウェイ装置から受け取ったグローバルＩＰアドレスの変更を検知した場合に、新たにゲートウェイ装置から受け取ったグローバルＩＰアドレスを警備用機器に通知することから、警備用機器はグローバルＩＰアドレスが変更されたことを容易に把握でき、短時間でセンタ装置本体に接続可能である。
【００５０】
請求項１０及び請求項１１の発明によれば、センタ装置側のゲートウェイ装置が、センタ装置本体に対し、グローバルＩＰアドレスが変更されたことを通知し、センタ装置本体が、グローバルＩＰアドレスが変更された通知受けて、変更されたグローバルＩＰアドレスを、ＤＮＳサーバに通知することから、ＤＮＳサーバはグローバルＩＰアドレスが変更されたことを早期に把握でき、変更までのタイムラグを減らし、警備用機器がセンタ装置本体に接続できない状態を回避できる。
【００５１】
請求項１２の発明によれば、センタ装置本体が、ゲートウェイ装置から受け取ったグローバルＩＰアドレスの変更を検知した場合に、新たにゲートウェイ装置から受け取ったグローバルＩＰアドレスをＤＮＳサーバに通知することから、ＤＮＳサーバはグローバルＩＰアドレスが変更されたことを早期に把握でき、変更までのタイムラグを減らし、警備用機器がセンタ装置本体に接続できない状態を回避できる。
【００５２】
請求項１３及び請求項１４の発明によれば、センタ装置側のゲートウェイ装置が、センタ装置本体に対し、グローバルＩＰアドレスが変更されたことを通知し、センタ装置本体が、グローバルＩＰアドレスが変更された通知受けて、変更されたグローバルＩＰアドレスを、センタ装置本体から端末装置に通知することから、端末装置はグローバルＩＰアドレスが変更されたことを容易に把握でき、短時間でセンタ装置本体に接続可能である。
【００５３】
請求項１５の発明によれば、センタ装置本体が、ゲートウェイ装置から受け取ったグローバルＩＰアドレスの変更を検知した場合に、新たにゲートウェイ装置から受け取ったグローバルＩＰアドレスを端末装置に通知することから、端末装置はグローバルＩＰアドレスが変更されたことを容易に把握でき、短時間でセンタ装置本体に接続可能である。
【００５４】
請求項１６及び請求項１７の発明によれば、センタ装置側のゲートウェイ装置が、センタ装置本体に対し、グローバルＩＰアドレスが変更されたことを通知し、センタ装置本体が、グローバルＩＰアドレスが変更された通知受けて、変更されたグローバルＩＰアドレスを、ＤＮＳサーバに通知することから、ＤＮＳサーバはグローバルＩＰアドレスが変更されたことを早期に把握でき、変更までのタイムラグを減らし、端末装置がセンタ装置本体に接続できない状態を回避できる。
【００５５】
請求項１８の発明によれば、センタ装置本体が、ゲートウェイ装置から受け取ったグローバルＩＰアドレスの変更を検知した場合に、新たにゲートウェイ装置から受け取ったグローバルＩＰアドレスをＤＮＳサーバに通知することから、ＤＮＳサーバはグローバルＩＰアドレスが変更されたことを早期に把握でき、変更までのタイムラグを減らし、端末装置がセンタ装置本体に接続できない状態を回避できる。
【００５６】
請求項１９及び請求項２０の発明によれば、警備対象施設側のゲートウェイ装置が、警備用機器に対し、グローバルＩＰアドレスが変更されたことを通知し、警備用機器が、グローバルＩＰアドレスが変更された通知受けて、変更されたグローバルＩＰアドレスを、警備用機器から端末装置に通知することから、端末装置はグローバルＩＰアドレスが変更されたことを容易に把握でき、短時間で警備用機器に接続可能である。
【００５７】
請求項２１の発明によれば、警備用機器が、ゲートウェイ装置から受け取ったグローバルＩＰアドレスの変更を検知した場合に、新たにゲートウェイ装置から受け取ったグローバルＩＰアドレスを警備用機器から警備に係る情報伝達を受ける端末装置に通知することから、端末装置はグローバルＩＰアドレスが変更されたことを容易に把握でき、短時間で警備用機器に接続可能である。
【００５８】
請求項２２及び請求項２３の発明によれば、警備対象施設側のゲートウェイ装置が、警備用機器に対し、グローバルＩＰアドレスが変更されたことを通知し、警備用機器が、グローバルＩＰアドレスが変更された通知受けて、変更されたグローバルＩＰアドレスを、ＤＮＳサーバに通知することから、ＤＮＳサーバはグローバルＩＰアドレスが変更されたことを早期に把握でき、変更までのタイムラグを減らし、端末装置が警備用機器に接続できない状態を回避できる。
【００５９】
請求項２４の発明によれば、警備用機器が、ゲートウェイ装置から受け取ったグローバルＩＰアドレスの変更を検知した場合に、新たにゲートウェイ装置から受け取ったグローバルＩＰアドレスを電気通信回線上のＤＮＳサーバに通知することから、ＤＮＳサーバはグローバルＩＰアドレスが変更されたことを早期に把握でき、変更までのタイムラグを減らし、端末装置が警備用機器に接続できない状態を回避できる。
【００６０】
請求項２５及び請求項２６の発明によれば、センタ装置側のゲートウェイ装置が、センタ装置本体に対し、グローバルＩＰアドレスが変更されたことを通知し、センタ装置本体が、グローバルＩＰアドレスが変更された通知受けて、変更されたグローバルＩＰアドレスを、センタ装置本体から警備用機器に通知することから、警備用機器はグローバルＩＰアドレスが変更されたことを容易に把握でき、短時間で警備用機器に接続可能である。
【００６１】
請求項２７の発明によれば、センタ装置本体が、ゲートウェイ装置から受け取ったグローバルＩＰアドレスの変更を検知した場合に、新たにゲートウェイ装置から受け取ったグローバルＩＰアドレスを警備用機器に通知することから、警備用機器はグローバルＩＰアドレスが変更されたことを容易に把握でき、短時間で警備用機器に接続可能である。
【００６２】
請求項２８及び請求項２９の発明によれば、センタ装置側のゲートウェイ装置が、センタ装置本体に対し、グローバルＩＰアドレスが変更されたことを通知し、センタ装置本体が、グローバルＩＰアドレスが変更された通知受けて、変更されたグローバルＩＰアドレスを、ＤＮＳサーバに通知することから、ＤＮＳサーバはグローバルＩＰアドレスが変更されたことを早期に把握でき、変更までのタイムラグを減らし、警備用機器がセンタ装置本体に接続できない状態を回避できる。
【００６３】
請求項３０の発明によれば、センタ装置本体が、ゲートウェイ装置から受け取ったグローバルＩＰアドレスの変更を検知した場合に、新たにゲートウェイ装置から受け取ったグローバルＩＰアドレスを電気通信回線上のＤＮＳサーバに通知することから、ＤＮＳサーバはグローバルＩＰアドレスが変更されたことを早期に把握でき、変更までのタイムラグを減らし、警備用機器がセンタ装置本体に接続できない状態を回避できる。
【００６４】
請求項３１及び請求項３２の発明によれば、センタ装置側のゲートウェイ装置が、センタ装置本体に対し、グローバルＩＰアドレスが変更されたことを通知し、センタ装置本体が、グローバルＩＰアドレスが変更された通知受けて、変更されたグローバルＩＰアドレスを、センタ装置本体から端末装置に通知することから、端末装置はグローバルＩＰアドレスが変更されたことを容易に把握でき、短時間でセンタ装置本体に接続可能である。
【００６５】
請求項３３の発明によれば、センタ装置本体が、ゲートウェイ装置から受け取ったグローバルＩＰアドレスの変更を検知した場合に、新たにゲートウェイ装置から受け取ったグローバルＩＰアドレスをセンタ装置から警備に係る情報伝達を受ける端末装置に通知することから、端末装置はグローバルＩＰアドレスが変更されたことを容易に把握でき、短時間でセンタ装置本体に接続可能である。
【００６６】
請求項３４及び請求項３５の発明によれば、センタ装置側のゲートウェイ装置が、センタ装置本体に対し、グローバルＩＰアドレスが変更されたことを通知し、センタ装置本体が、グローバルＩＰアドレスが変更された通知受けて、変更されたグローバルＩＰアドレスを、ＤＮＳサーバに通知することから、ＤＮＳサーバはグローバルＩＰアドレスが変更されたことを早期に把握でき、変更までのタイムラグを減らし、端末装置がセンタ装置本体に接続できない状態を回避できる。
【００６７】
請求項３６の発明によれば、センタ装置本体が、ゲートウェイ装置から受け取ったグローバルＩＰアドレスの変更を検知した場合に、新たにゲートウェイ装置から受け取ったグローバルＩＰアドレスを電気通信回線上のＤＮＳサーバに通知することから、ＤＮＳサーバはグローバルＩＰアドレスが変更されたことを早期に把握でき、変更までのタイムラグを減らし、端末装置がセンタ装置本体に接続できない状態を回避できる。
【発明を実施するための最良の形態】
【００６８】
以下、本発明の形態について図面を参照しながら具体的に説明する。本発明の形態における警備システムは、不審者等が侵入することが好ましくない一般の家庭や店舗、工場等の警備対象施設の異常の情報を検知し通報するものであって、インターネット等の電気通信回線を用いて警備に係る情報伝達を行うものである。
【実施例１】
【００６９】
図１は、本発明に係る警備システムの第１の実施例の構成を示す構成図である。図２は、同警備システムの動作を示すタイミングチャートである。図において、本実施例の警備システム１は、警備すべき警備対象施設１０に設けられた各種のセンサ２３と、センサ２３で検知した異常等をＩＰ通信網６を用いて外部に情報伝達可能な警備用機器である送信機２５と、ゲートウェイ装置であるＩＧＤ（Internet Gateway Device）２０と、異常等の情報を表示等する端末装置１１とからなる。また、ＩＰ通信網６にはＩＳＰ（Internet Service Provider）５が接続されている。
【００７０】
送信機２５は、センサ２３のインタフェースである制御部２６と、異常等の情報を外部に情報伝達可能なウェブサーバ２８と、グローバルＩＰアドレスを通知するアドレス通知部２７とから構成されている。また、ＩＰ通信網６は、電気通信回線であり、インターネットに常時又は断続的に接続可能な回線であり、ＷＡＮ（Wide Area Network）、ＡＤＳＬ（Asymmetric Digital Subscriber Line）回線、専用線等の他、ＬＡＮ（Local Area Network）を経由した接続も含まれる。また、公衆回線網を介してＩＳＰ（Internet Service Provider）５のアクセスポイントに接続し、インターネットが使用できるような環境であってもよい。公衆回線網としては、例えば、アナログ加入回線、ＩＳＤＮ回線、ＤｏＰａ回線、携帯電話網、ＰＨＳ網等である。
【００７１】
ＩＧＤ（Internet Gateway Device）２０は、ＩＳＰ５から割り当てられたグローバルＩＰアドレスによりＩＰ通信網６を介して情報の中継を行うゲートウェイ装置である。ＩＧＤ２０は、内部に、警備対象施設１０側のグローバルＩＰアドレスが変更されたことを通知するアドレス変更通知部２１を有する。
【００７２】
端末装置１１は、図１では図示しない（図９参照）装置の制御を行う制御部（５１）と、ＩＰ通信網６を介して外部の送信機２５等と情報伝達可能なウェブクライアント（５２）とから構成されている。端末装置１１は、例えばパーソナルコンピュータ、ＰＤＡ（Personal Digital Assistance）、携帯電話等のハードウェア又はソフトウェアで構成された情報通信端末である。
【００７３】
尚、送信機２５、ＩＧＤ２０、端末装置１１等は、ハードウェアのみで構成してもよく、ソフトウェア単体又はハードウェアとソフトウェアとの複合体として構成してもよい。また、図１で、ウェブサーバ２８が、必ずしも警備対象施設１０の内部にある必要もなく、ＩＳＰ５等のエリアに構築されるものであってもよく、端末装置１１からみて警備対象施設１０側に属する構成であればよい。
【００７４】
次に、図１及び図２をもとに、本実施例の警備システム１の動作を説明する。まず、送信機２５は予めＩＳＰ５から割り当てられた動的グローバルＩＰアドレスを用い、ＩＧＤ２０及びＩＰ通信網６を介して端末装置１１との間で情報伝達が可能な状態にあったとする。ここで、ＩＳＰ５でグローバルＩＰアドレスの動的な再割り当てが生じ、グローバルＩＰアドレスの変更が、ＩＳＰ５からＩＧＤ２０に通知されたとする。
【００７５】
グローバルＩＰアドレスの変更と変更されたグローバルＩＰアドレスを受け取ったＩＧＤ２０は、アドレス変更通知手段としてのアドレス変更通知部２１の機能として、グローバルＩＰアドレスが変更された旨と変更されたグローバルＩＰアドレスを送信機２５のアドレス通知部２７に通知する。また、ＩＧＤ２０は、変更された新たなグローバルＩＰアドレスを用いて、端末装置１１と通信可能な状態に内部設定を変更する。
【００７６】
次に、ＩＧＤ２０からグローバルＩＰアドレスの変更と変更されたグローバルＩＰアドレスを受け取った送信機２５は、アドレス通知手段としてのアドレス通知部２７の機能として、グローバルＩＰアドレスが変更された旨と変更されたグローバルＩＰアドレスを端末装置１１に通知する。通知する方法としては、メールやＦＴＰ等の通知可能な手段であればよい。尚、送信機２５は必要に応じて、グローバルＩＰアドレスの変更の通知を受け取った旨の確認応答をＩＧＤ２０にするようにする。
【００７７】
送信機２５からグローバルＩＰアドレスの変更と変更されたグローバルＩＰアドレスを受け取った端末装置１１は、送信機２５から受け取った変更された新たなグローバルＩＰアドレスを基に、以後の送信機２５との通信を行い、警備に係る情報の伝達を受けることになる（アクセス）。
【００７８】
以上のように、本実施例の警備システム１では、警備対象施設１０側のゲートウェイ装置であるＩＧＤ２０が、送信機２５に対し、グローバルＩＰアドレスが変更されたことを通知し、送信機２５が、グローバルＩＰアドレスが変更された通知受けて、変更されたグローバルＩＰアドレスを、端末装置１１に通知することから、端末装置１１はグローバルＩＰアドレスが変更されたことを容易に把握でき、短時間で送信機２５に接続可能である。
【００７９】
また、送信機２５が、変更されたグローバルＩＰアドレスを端末装置１１に直接通知することから、ＤＮＳサーバを用いずに端末装置１１が送信機２５に直接接続することが可能である。
【００８０】
尚、本実施例の警備システム１の他の動作として、図３のタイミングチャートに示すものもある。具体的に説明すると、まず、送信機２５が定期的にＩＧＤ２０に対してグローバルＩＰアドレスが変更されたか否かの問い合わせを行う。グローバルＩＰアドレスが変更された場合には、送信機２５からの問い合わせに答える形で、ＩＧＤ２０は送信機２７に対してグローバルＩＰアドレスの変更と変更されたグローバルＩＰアドレスを通知するようにする。以降は、上述の動作と同様である。このような方法によっても、端末装置１１はグローバルＩＰアドレスが変更されたことを容易に把握でき、短時間で送信機２５に接続可能である。
【００８１】
さらに、本実施例の警備システム１の他の動作として、図４のタイミングチャートに示すものもある。具体的に説明すると、まず、送信機２５が定期的にＩＧＤ２０に対してグローバルＩＰアドレスの問い合わせを行う。送信機２５からの問い合わせに答えて、ＩＧＤ２０は送信機２７に対してグローバルＩＰアドレスを通知する。送信機２７では、予め記憶しているグローバルＩＰアドレスと新たに受け取ったグローバルＩＰアドレスとを比較し、グローバルＩＰアドレスの変更を検知した場合に、グローバルＩＰアドレスの変更と変更されたグローバルＩＰアドレスを通知するようにする。以降は、上述の動作と同様である。このような方法によっても、端末装置１１はグローバルＩＰアドレスが変更されたことを容易に把握でき、短時間で送信機２５に接続可能である。
【実施例２】
【００８２】
図５は、本発明に係る警備システムの第２の実施例の構成を示す構成図である。図６は、同警備システムの動作を示すタイミングチャートである。図において、本実施例の警備システム２は、警備すべき警備対象施設１０に設けられた各種のセンサ２３と、センサ２３で検知した異常等をＩＰ通信網６を用いて外部に情報伝達可能な警備用機器である送信機２５と、ゲートウェイ装置であるＩＧＤ２０と、異常等の情報を表示等する端末装置１１とからなる。また、ＩＰ通信網６にはＩＳＰ５が接続されている。これらの構成は、実施例１の構成と同一である。本実施例では、実施例１の構成に加え、ＩＰ通信網６にＤＮＳ（Domain Name System）サーバ７が接続された構成である。尚、実施例１で既に説明している部分については説明を省略する。ＤＮＳサーバ７は、ドメイン名からグローバルＩＰアドレスの解決を行い、ドメイン名により接続を可能とするもので、ユーザのドメイン名に関連付けられたグローバルＩＰアドレスの値を通知されたものに更新する。
【００８３】
次に、図５及び図６をもとに、本実施例の警備システム２の動作を説明する。まず、送信機２５は予めＩＳＰ５から割り当てられた動的グローバルＩＰアドレスを用い、ＤＮＳサーバ７においても、ドメイン名がこの動的グローバルＩＰアドレスに関連付けられている。そして、端末装置１１は、ＤＮＳサーバ７を経由して、ＩＧＤ２０を介して送信機２５との間で情報伝達が可能な状態にあったとする。ここで、ＩＳＰ５でグローバルＩＰアドレスの動的な再割り当てが生じ、グローバルＩＰアドレスの変更が、ＩＳＰ５からＩＧＤ２０に通知されたとする。
【００８４】
グローバルＩＰアドレスの変更と変更されたグローバルＩＰアドレスを受け取ったＩＧＤ２０は、アドレス変更通知手段としてのアドレス変更通知部２１の機能として、グローバルＩＰアドレスが変更された旨と変更されたグローバルＩＰアドレスを送信機２５のアドレス通知部２７に通知する。また、ＩＧＤ２０は、変更された新たなグローバルＩＰアドレスを用いて、端末装置１１と通信可能な状態に内部設定を変更する。
【００８５】
次に、ＩＧＤ２０からグローバルＩＰアドレスの変更と変更されたグローバルＩＰアドレスを受け取った送信機２５は、アドレス通知手段としてのアドレス通知部２７の機能として、グローバルＩＰアドレスが変更された旨と変更されたグローバルＩＰアドレスをＤＮＳサーバ７に通知する。尚、送信機２５は必要に応じて、グローバルＩＰアドレスの変更の通知を受け取った旨の確認応答をＩＧＤ２０にするようにする。
【００８６】
送信機２５からグローバルＩＰアドレスの変更と変更されたグローバルＩＰアドレスを受け取ったＤＮＳサーバ７は、送信機２５から受け取った変更された新たなグローバルＩＰアドレスとドメイン名とを関連付けるようにする。そして、端末装置１１は、ＤＮＳサーバ７を経由することで、グローバルＩＰアドレスが変更されたか否かにかかわらずＩＧＤ２０を介して送信機２５との間で情報伝達が可能となり、以後の送信機２５との通信を行い、警備に係る情報の伝達を受けることになる（アクセス）。
【００８７】
以上のように、本実施例の警備システム２では、ゲートウェイ装置であるＩＧＤ２０が、送信機２５に対し、グローバルＩＰアドレスが変更されたことを通知し、送信機２５が、グローバルＩＰアドレスが変更された通知受けて、変更されたグローバルＩＰアドレスを、ＤＮＳサーバ７に通知することから、ＤＮＳサーバ７はグローバルＩＰアドレスが変更されたことを早期に把握でき、変更までのタイムラグを減らし、端末装置１１が送信機２５に接続できない状態を回避できる。
【００８８】
尚、本実施例の警備システム２の他の動作として、図７のタイミングチャートに示すものもある。具体的に説明すると、まず、送信機２５が定期的にＩＧＤ２０に対してグローバルＩＰアドレスが変更されたか否かの問い合わせを行う。グローバルＩＰアドレスが変更された場合には、送信機２５からの問い合わせに答える形で、ＩＧＤ２０は送信機２７に対してグローバルＩＰアドレスの変更と変更されたグローバルＩＰアドレスを通知するようにする。以降は、上述の動作と同様である。このような方法によっても、ＤＮＳサーバ７はグローバルＩＰアドレスが変更されたことを早期に把握でき、変更までのタイムラグを減らし、端末装置１１が送信機２５に接続できない状態を回避できる。
【００８９】
さらに、本実施例の警備システム２の他の動作として、図８のタイミングチャートに示すものもある。具体的に説明すると、まず、送信機２５が定期的にＩＧＤ２０に対してグローバルＩＰアドレスが変更されたか否かの問い合わせを行う。送信機２５からの問い合わせに答えて、ＩＧＤ２０は送信機２７に対してグローバルＩＰアドレスを通知する。送信機２７では、予め記憶しているグローバルＩＰアドレスと新たに受け取ったグローバルＩＰアドレスとを比較し、グローバルＩＰアドレスの変更を検知した場合に、グローバルＩＰアドレスの変更と変更されたグローバルＩＰアドレスを通知するようにする。以降は、上述の動作と同様である。このような方法によっても、ＤＮＳサーバ７はグローバルＩＰアドレスが変更されたことを早期に把握でき、変更までのタイムラグを減らし、端末装置１１が送信機２５に接続できない状態を回避できる。
【実施例３】
【００９０】
図９は、本発明に係る警備システムの第３の実施例の構成を示す構成図である。図１０は、同警備システムの動作を示すタイミングチャートである。図において、本実施例の警備システム３は、警備すべき警備対象施設１７に設けられた各種のセンサ４５と、センサ４５で検知した異常等をＩＰ通信網６を用いて外部に情報伝達可能な警備用機器である送信機４０と、異常等の情報を管理するセンタ装置１４と、センタ装置１４に接続し異常等の情報を取得し表示等する端末装置１８とからなる。
【００９１】
送信機４０は、センサ４５のインタフェースである制御部４１と、異常等の情報を外部に情報伝達可能なウェブクライアント４２とから構成されている。また、ＩＰ通信網６は、実施例１と同様である。センタ装置１４は、センタ装置本体１５と、ゲートウェイ装置であるＩＧＤ（Internet Gateway Device）１６とからなる。また、センタ装置本体１５は、装置の制御を行う制御部３５と、ＩＰ通信網６を介して外部の送信機４０や端末装置１８と情報伝達可能なウェブサーバ３７と、グローバルＩＰアドレスを通知するアドレス通知部３６とから構成されている。
【００９２】
ＩＧＤ（Internet Gateway Device）１６は、ＩＳＰ５から割り当てられたグローバルＩＰアドレスによりＩＰ通信網６を介して情報の中継を行うゲートウェイ装置である。ＩＧＤ１６は、内部に、センタ装置１４側のグローバルＩＰアドレスが変更されたことを通知するアドレス変更通知部３１を有する。
【００９３】
送信機４０は、センサ４５のインタフェースである制御部４１と、異常等の情報を外部に情報伝達可能なウェブクライアント４２とから構成されている。
【００９４】
端末装置１８は、装置の制御を行う制御部５１と、ＩＰ通信網６を介して外部のセンタ装置１４等と情報伝達可能なウェブクライアント５２とから構成されている。端末装置１８は、例えばパーソナルコンピュータ、ＰＤＡ（Personal Digital Assistance）、携帯電話等のハードウェア又はソフトウェアで構成された情報通信端末である。
【００９５】
尚、センタ装置本体１５、ＩＧＤ１６、送信機４０、端末装置１８等は、ハードウェアのみで構成してもよく、ソフトウェア単体又はハードウェアとソフトウェアとの複合体として構成してもよい。また、図５で、ウェブサーバ３７が、必ずしもセンタ装置１４の内部にある必要もなく、ＩＳＰ５等のエリアに構築されるものであってもよく、送信機４０や端末装置１８からみてセンタ装置１４側に属する構成であればよい。
【００９６】
次に、図９及び図１０をもとに、本実施例の警備システム３の動作を説明する。まず、センタ装置本体１５は予めＩＳＰ５から割り当てられた動的グローバルＩＰアドレスを用い、ＩＧＤ１６及びＩＰ通信網６を介して送信機４０や端末装置１８との間で情報伝達が可能な状態にあったとする。ここで、ＩＳＰ５でグローバルＩＰアドレスの動的な再割り当てが生じ、グローバルＩＰアドレスの変更が、ＩＳＰ５からＩＧＤ１６に通知されたとする。
【００９７】
グローバルＩＰアドレスの変更と変更されたグローバルＩＰアドレスを受け取ったＩＧＤ１６は、アドレス変更通知手段としてのアドレス変更通知部３１の機能として、グローバルＩＰアドレスが変更された旨と変更されたグローバルＩＰアドレスをセンタ装置本体１５のアドレス通知部３６に通知する。また、ＩＧＤ１６は、変更された新たなグローバルＩＰアドレスを用いて、送信機４０や端末装置１８と通信可能な状態に内部設定を変更する。
【００９８】
次に、ＩＧＤ１６からグローバルＩＰアドレスの変更と変更されたグローバルＩＰアドレスを受け取ったセンタ装置本体１５は、アドレス通知手段としてのアドレス通知部３６の機能として、グローバルＩＰアドレスが変更された旨と変更されたグローバルＩＰアドレスを送信機４０や端末装置１８に通知する。通知する方法としては、メールやＦＴＰ等の通知可能な手段であればよい。尚、センタ装置本体１５は必要に応じて、グローバルＩＰアドレスの変更の通知を受け取った旨の確認応答をＩＧＤ１６にするようにする。
【００９９】
送信機４０からグローバルＩＰアドレスの変更と変更されたグローバルＩＰアドレスを受け取った送信機４０や端末装置１８は、センタ装置本体１５から受け取った変更された新たなグローバルＩＰアドレスを基に、以後の送信機４０との通信を行い、警備に係る情報のやりとりを行うことになる（アクセス）。
【０１００】
以上のように、本実施例の警備システム３では、センタ装置１４側のゲートウェイ装置であるＩＧＤ１６が、センタ装置本体１５に対し、グローバルＩＰアドレスが変更されたことを通知し、センタ装置本体１５が、グローバルＩＰアドレスが変更された通知受けて、変更されたグローバルＩＰアドレスを、センタ装置本体１５から送信機４０に通知することから、送信機４０はグローバルＩＰアドレスが変更されたことを容易に把握でき、短時間でセンタ装置本体１５に接続可能である。
【０１０１】
また、センタ装置１４側のゲートウェイ装置であるＩＧＤ１６が、センタ装置本体１５に対し、グローバルＩＰアドレスが変更されたことを通知し、センタ装置本体１５が、グローバルＩＰアドレスが変更された通知受けて、変更されたグローバルＩＰアドレスを、センタ装置本体１５から端末装置１８に通知することから、端末装置１８はグローバルＩＰアドレスが変更されたことを容易に把握でき、短時間でセンタ装置本体１５に接続可能である。
【０１０２】
さらに、センタ装置本体１５が、変更されたグローバルＩＰアドレスを送信機４０又は端末装置１８に直接通知することから、ＤＮＳサーバを用いずに送信機４０又は端末装置１８がセンタ装置本体１５に直接接続することが可能である。
【０１０３】
尚、本実施例の警備システム３の他の動作として、図１１のタイミングチャートに示すものもある。具体的に説明すると、まず、センタ装置本体１５が定期的にＩＧＤ１６に対してグローバルＩＰアドレスが変更されたか否かの問い合わせを行う。グローバルＩＰアドレスが変更された場合には、センタ装置本体１５からの問い合わせに答える形で、ＩＧＤ１６はセンタ装置本体１５に対してグローバルＩＰアドレスの変更と変更されたグローバルＩＰアドレスを通知するようにする。以降は、上述の動作と同様である。このような方法によっても、送信機４０や端末装置１８は、グローバルＩＰアドレスが変更されたことを容易に把握でき、短時間でセンタ装置本体１５に接続可能である。
【０１０４】
さらに、本実施例の警備システム３の他の動作として、図１２のタイミングチャートに示すものもある。具体的に説明すると、まず、センタ装置本体１５が定期的にＩＧＤ１６に対してグローバルＩＰアドレスの問い合わせを行う。センタ装置本体１５からの問い合わせに答えて、ＩＧＤ１６はセンタ装置本体１５に対してグローバルＩＰアドレスを通知する。以降は、上述の動作と同様である。このような方法によっても、送信機４０や端末装置１８は、グローバルＩＰアドレスが変更されたことを容易に把握でき、短時間でセンタ装置本体１５に接続可能である。
【実施例４】
【０１０５】
図１３は、本発明に係る警備システムの第４の実施例の構成を示す構成図である。図１４は、同警備システムの動作を示すタイミングチャートである。図において、本実施例の警備システム４は、警備すべき警備対象施設１７に設けられた各種のセンサ４５と、センサ４５で検知した異常等をＩＰ通信網６を用いて外部に情報伝達可能な警備用機器である送信機４０と、異常等の情報を管理するセンタ装置１４と、センタ装置１４に接続し異常等の情報を取得し表示等する端末装置１８とからなる。また、ＩＰ通信網６にはＩＳＰ５が接続されている。これらの構成は、実施例３の構成と同一である。本実施例では、実施例３の構成に加え、ＩＰ通信網６にＤＮＳ（Domain Name System）サーバ７が接続された構成である。尚、実施例１で既に説明している部分については説明を省略する。ＤＮＳサーバ７は、ドメイン名からグローバルＩＰアドレスの解決を行い、ドメイン名により接続を可能とするもので、ユーザのドメイン名に関連付けられたグローバルＩＰアドレスの値を通知されたものに更新する。
【０１０６】
次に、図１３及び図１４をもとに、本実施例の警備システム４の動作を説明する。まず、センタ装置本体１５は予めＩＳＰ５から割り当てられた動的グローバルＩＰアドレスを用い、ＤＮＳサーバ７においても、ドメイン名がこの動的グローバルＩＰアドレスに関連付けられている。そして、送信機４０や端末装置１８は、ＤＮＳサーバ７を経由して、ＩＧＤ１６を介してセンタ装置本体１５との間で情報伝達が可能な状態にあったとする。ここで、ＩＳＰ５でグローバルＩＰアドレスの動的な再割り当てが生じ、グローバルＩＰアドレスの変更が、ＩＳＰ５からＩＧＤ１６に通知されたとする。
【０１０７】
グローバルＩＰアドレスの変更と変更されたグローバルＩＰアドレスを受け取ったＩＧＤ１６は、アドレス変更通知手段としてのアドレス変更通知部３１の機能として、グローバルＩＰアドレスが変更された旨と変更されたグローバルＩＰアドレスをセンタ装置本体１５のアドレス通知部３６に通知する。また、ＩＧＤ１６は、変更された新たなグローバルＩＰアドレスを用いて、送信機４０や端末装置１８と通信可能な状態に内部設定を変更する。
【０１０８】
次に、ＩＧＤ１６からグローバルＩＰアドレスの変更と変更されたグローバルＩＰアドレスを受け取ったセンタ装置本体１５は、アドレス通知手段としてのアドレス通知部３６の機能として、グローバルＩＰアドレスが変更された旨と変更されたグローバルＩＰアドレスをＤＮＳサーバ７に通知する。尚、センタ装置本体１５は必要に応じて、グローバルＩＰアドレスの変更の通知を受け取った旨の確認応答をＩＧＤ１６にするようにする。
【０１０９】
センタ装置本体１５からグローバルＩＰアドレスの変更と変更されたグローバルＩＰアドレスを受け取ったＤＮＳサーバ７は、センタ装置本体１５から受け取った変更された新たなグローバルＩＰアドレスとドメイン名とを関連付けるようにする。そして、送信機４０や端末装置１８は、ＤＮＳサーバ７を経由することで、グローバルＩＰアドレスが変更されたか否かにかかわらずＩＧＤ１６を介してセンタ装置本体１５との間で情報伝達が可能となり、以後のセンタ装置本体１５との通信を行い、警備に係る情報の交換を行うことになる（アクセス）。
【０１１０】
以上のように、本実施例の警備システム４では、センタ装置１４側のゲートウェイ装置であるＩＧＤ１６が、センタ装置本体１５に対し、グローバルＩＰアドレスが変更されたことを通知し、センタ装置本体１５が、グローバルＩＰアドレスが変更された通知受けて、変更されたグローバルＩＰアドレスを、ＤＮＳサーバ７に通知することから、ＤＮＳサーバ７はグローバルＩＰアドレスが変更されたことを早期に把握でき、変更までのタイムラグを減らし、送信機４０及び端末装置１８がセンタ装置本体１５に接続できない状態を回避できる。
【０１１１】
尚、本実施例の警備システム４の他の動作として、図１５のタイミングチャートに示すものもある。具体的に説明すると、まず、センタ装置本体１５が定期的にＩＧＤ１６に対してグローバルＩＰアドレスが変更されたか否かの問い合わせを行う。グローバルＩＰアドレスが変更された場合には、センタ装置本体１５からの問い合わせに答える形で、ＩＧＤ１６はセンタ装置本体１５に対してグローバルＩＰアドレスの変更と変更されたグローバルＩＰアドレスを通知するようにする。以降は、上述の動作と同様である。このような方法によっても、ＤＮＳサーバ７はグローバルＩＰアドレスが変更されたことを早期に把握でき、変更までのタイムラグを減らし、送信機４０及び端末装置１８がセンタ装置本体１５に接続できない状態を回避できる。
【０１１２】
さらに、本実施例の警備システム４の他の動作として、図１６のタイミングチャートに示すものもある。具体的に説明すると、まず、センタ装置本体１５が定期的にＩＧＤ１６に対してグローバルＩＰアドレスの問い合わせを行う。センタ装置本体１５からの問い合わせに答えて、ＩＧＤ１６はセンタ装置本体１５に対してグローバルＩＰアドレスを通知する。以降は、上述の動作と同様である。このような方法によっても、ＤＮＳサーバ７はグローバルＩＰアドレスが変更されたことを早期に把握でき、変更までのタイムラグを減らし、送信機４０及び端末装置１８がセンタ装置本体１５に接続できない状態を回避できる。
【産業上の利用可能性】
【０１１３】
以上のように、本発明の警備システムは、警備用機器、端末装置、センタ装置、ＤＮＳサーバ等が、グローバルＩＰアドレスが変更されたことを早期に把握でき、変更までのタイムラグが少ないことから、インターネット等の電気通信回線を用いた警備システムに適している。
【図面の簡単な説明】
【０１１４】
【図１】本発明に係る警備システムの第１の実施例の構成を示す構成図である。
【図２】同警備システムの動作を示すタイミングチャートである。
【図３】同警備システムの他の動作を示すタイミングチャートである。
【図４】同警備システムのさらに他の動作を示すタイミングチャートである。
【図５】本発明に係る警備システムの第２の実施例の構成を示す構成図である。
【図６】同警備システムの動作を示すタイミングチャートである。
【図７】同警備システムの他の動作を示すタイミングチャートである。
【図８】同警備システムのさらに他の動作を示すタイミングチャートである。
【図９】本発明に係る警備システムの第３の実施例の構成を示す構成図である。
【図１０】同警備システムの動作を示すタイミングチャートである。
【図１１】同警備システムの他の動作を示すタイミングチャートである。
【図１２】同警備システムのさらに他の動作を示すタイミングチャートである。
【図１３】本発明に係る警備システムの第４の実施例の構成を示す構成図である。
【図１４】同警備システムの動作を示すタイミングチャートである。
【図１５】同警備システムの他の動作を示すタイミングチャートである。
【図１６】同警備システムのさらに他の動作を示すタイミングチャートである。
【符号の説明】
【０１１５】
１〜４・・・・・・・・・・・警備システム
５・・・・・・・・・・・・・ＩＳＰ（Internet Service Provider）
６・・・・・・・・・・・・・ＩＰ通信網
７・・・・・・・・・・・・・ＤＮＳ（Domain Name System）サーバ
１０，１７・・・・・・・・・警備対象施設
１１，１８・・・・・・・・・端末装置
１４・・・・・・・・・・・・センタ装置
１５・・・・・・・・・・・・センタ装置本体
１６，２０・・・・・・・・・ＩＧＤ（Internet Gateway Device）
２１，３１・・・・・・・・・アドレス変更通知部
２３，４５・・・・・・・・・センサ
２５，４０・・・・・・・・・送信機
２６，３５，４１，５１・・・制御部
２７，３６・・・・・・・・・アドレス通知部
２８，３７・・・・・・・・・ウェブサーバ
４２，５２・・・・・・・・・ウェブクライアント
【図１】
2006221521.tif 000003
【図２】
2006221521.tif 000004
【図３】
2006221521.tif 000005
【図４】
2006221521.tif 000006
【図５】
2006221521.tif 000007
【図６】
2006221521.tif 000008
【図７】
2006221521.tif 000009
【図８】
2006221521.tif 000010
【図９】
2006221521.tif 000011
【図１０】
2006221521.tif 000012
【図１１】
2006221521.tif 000013
【図１２】
2006221521.tif 000014
【図１３】
2006221521.tif 000015
【図１４】
2006221521.tif 000016
【図１５】
2006221521.tif 000017
【図１６】
2006221521.tif 000018